(57)【特許請求の範囲】
【請求項１】
手で把持できる器具本体に開閉駆動されて毛を挟持する挟持要素を備えた毛を引き抜くための脱毛ヘッドを複数有するものにおいて、脱毛ヘッドの駆動伝達切り替え手段を設け、該脱毛ヘッドの駆動伝達切り替え手段が、複数の脱毛ヘッドを回転させて脱毛を行う形態と、一方の脱毛ヘッドを回転させて脱毛を行うと共に他方の脱毛ヘッドの回転を停止させる形態とを切り替えるものであることを特徴とする脱毛装置。
【請求項２】
手で把持できる器具本体に開閉駆動されて毛を挟持する挟持要素を備えた毛を引き抜くための脱毛ヘッドを複数有するものにおいて、脱毛ヘッドの駆動伝達切り替え手段を設け、該脱毛ヘッドの駆動伝達切り替え手段が、複数の脱毛ヘッドに備えた挟持要素による脱毛を行う形態と、一方の脱毛ヘッドに備えた挟持要素によって脱毛を行うと共に他方の脱毛ヘッドに備えた挟持要素による挟持を停止可能とする形態とを切り替えるものであることを特徴とする脱毛装置。
【請求項３】
脱毛ヘッドを支持しているハウジングの弾性変形により脱毛ヘッドに挟持要素による挟持を停止可能として成ることを特徴とする請求項２記載の脱毛装置。
【発明の詳細な説明】
【０００１】
【発明の属する技術分野】
本発明は、美容などの目的のために体毛を除毛するために使用される脱毛装置に関するものである。
【０００２】
【従来の技術】
従来から複数ヘッドを有するものとして特開昭５２−７２６７０号、米国特許第５０１１４８５号、ＷＯ９６／０４８１５号等がある。また、１つのヘッドで回転方向を切り換えるものとして特開平６−１２１７０７号がある。
【０００３】
上記従来例のうち、複数ヘッドを有する従来例にあっては、複数ヘッドが常に同方向や異方向に回転をして脱毛するものであるために以下の問題がある。
【０００４】
すなわち、同方向回転のものは、腕、足等では毛の生えている方向が同一方向であるため、効率よく脱毛できるが、腋等の毛が異方向に生えている部位では一方向しか脱毛しないために抜き残しや毛切れが多く、脱毛効率が悪く、そのために器具を持ち替えて使用しなければならず、使い勝手が悪いという問題がある。また、異方向回転のものは、腋等の毛が異方向に生えている部位では効率よく脱毛できるが、腕、足等の毛が同一方向に生えている部位では、一方は回転方向が異なるために毛を寝かしてしまい、毛を導入されず、したがって毛を挟持できず、抜き残しが多くなり、複数ヘッドを備えていても一方向のヘッドしか脱毛できず、脱毛効率が悪く、しかも、一方のヘッドは脱毛に寄与していないにもかかわらず回転しているために駆動負荷が大きくなるという問題がある。
【０００５】
また、１つのヘッドで回転方向を切り換える従来例にあっては以下の問題がある。
【０００６】
すなわち、１ヘッドで毛の生えている方向によってヘッドの回転方向を切り換えて使用するようにしているが、腋等の毛が異方向に生えている部位では毛の生えている方向によってヘッドの回転方向をその都度切り替える必要があり、回転方向を切り換えて同じ所を何度も脱毛しなければならず、脱毛効率が悪く、また、使い勝手が悪いため脱毛に時間がかかるという問題がある。
【０００７】
また、複数ヘッドを有するものにおいては、毛の量によって毛の多い時はスピーディに脱毛できるが、毛の少ない時には１ヘッドで十分脱毛できる場合、複数ヘッドが常に回転しているために余分な負荷がかかり、特に、電池駆動の場合、使用時間が短くなり、また、無駄な騒音が発生してしまうという問題がある。
【０００８】
【発明が解決しようとする課題】
本発明は上記の従来例の問題点に鑑みて発明したものであって、複数ヘッドで効率よく脱毛を行うものにおいて、腕、足等の毛が同一方向に生えている部位においては同一方向に脱毛ができ、腋等の毛が異方向に生えている部位において異方向に脱毛でき、部位に応じて毛切れや抜き残しなくスピーディに仕上げることができ、且つ余分な負荷のかからない脱毛装置を提供することを課題とするものである。
【０００９】
【課題を解決するための手段】
上記課題を解決するために、本発明の脱毛装置は、手で把持できる器具本体に開閉駆動されて毛を挟持する挟持要素を備えた毛を引き抜くための脱毛ヘッドを複数有するものにおいて、脱毛ヘッドの駆動伝達切り替え手段を設け、該脱毛ヘッドの駆動伝達切り替え手段が、複数の脱毛ヘッドを回転させて脱毛を行う形態と、一方の脱毛ヘッドを回転させて脱毛を行うと共に他方の脱毛ヘッドの回転を停止させる形態とを切り替えるものであることを特徴とするものである。このような構成とすることで、脱毛ヘッドの駆動伝達切り替え手段の切り替えにより、複数の脱毛ヘッドを回転（なお、本発明において以下において用いる回転の概念には回動も含むものである）して脱毛を行う形態と、一方の脱毛ヘッドを回転させて脱毛を行うと共に他方の脱毛ヘッドの回転を停止させる形態が選択できる。また、一方の脱毛ヘッドを回転させて脱毛を行うと共に他方の脱毛ヘッドの回転を停止させる形態においては、停止した方の脱毛ヘッドを肌伸ばしとすることができ、更に、この場合、一方の脱毛ヘッドのみが回転するので、負荷を低下できる。
【００１０】
また、手で把持できる器具本体に開閉駆動されて毛を挟持する挟持要素を備えた毛を引き抜くための脱毛ヘッドを複数有するものにおいて、脱毛ヘッドの駆動伝達切り替え手段を設け、該脱毛ヘッドの駆動伝達切り替え手段が、複数の脱毛ヘッドに備えた挟持要素による脱毛を行う形態と、一方の脱毛ヘッドに備えた挟持要素によって脱毛を行うと共に他方の脱毛ヘッドに備えた挟持要素による挟持を停止可能とする形態とを切り替えるものであることも好ましい。
【００１１】
このような構成とすることで、脱毛ヘッドの駆動伝達切り替え手段の切り替えにより、複数の脱毛ヘッドに備えた挟持要素による脱毛を行う形態と、一方の脱毛ヘッドに備えた挟持要素によって脱毛を行うと共に他方の脱毛ヘッドに備えた挟持要素による挟持を停止可能とする形態とを選択できる。また、一方の脱毛ヘッドに備えた挟持要素によって脱毛を行うと共に他方の脱毛ヘッドに備えた挟持要素による挟持を停止可能とする形態を選択した場合、挟持要素による挟持を停止した方の脱毛ヘッドは空回りをして肌を伸ばすことができ、このように一方の脱毛ヘッドで肌を伸ばしながら、他方の脱毛ヘッドで毛の根元を挟持して脱毛することができる。
【００１２】
また、脱毛ヘッドを支持しているハウジングの弾性変形により脱毛ヘッドに挟持要素による挟持を停止可能とすることが好ましい。このような構成とすることで、ハウジングを弾性変形させるという簡単な構成で脱毛ヘッドに挟持要素による挟持を停止可能とすることができる。
【００１３】
【発明の実施の形態】
以下本発明の実施形態を添付図面に基づいて説明する。
【００１４】
本実施形態においては、脱毛装置の器具本体Ａは本体ブロック１に２つの脱毛ヘッド２ａ、２ｂで構成された脱毛ブロック２を設けて構成してある。本体ブロック１は、二つ割りのハウジング１０内にモータ１１、モータ１１の出力軸に取り付けたピニオン７５と噛合するフェイスギア７６、フェイスギア７６に一体に設けられるギア７６ａと噛合する中間ギア７７、この中間ギア７７と一方の脱毛ヘッド２ａの爪取付台ギア６０との間に介在されるギア７８、７９と、中間ギア７７と他方の脱毛ヘッド２ｂの爪取付台ギア６０との間に介在されるギア８０、８１、８２とを内装し、また、ハウジング１０の下部に電源ジャック１４を固定した下カバー８３を取り付け、更に、ハウジング１０にモータ１１をオン、オフするためのスイッチ１５を設けて構成してある。
【００１５】
脱毛ヘッド２ａ、２ｂは図１乃至図５に示すように、基台となる爪取付台５６に脱毛ヘッド２ａ、２ｂの回転軸５６ｊに平行に且つ円周に所定間隔で配置された３つの爪ブロック体６９と、脱毛ブロック２を回転させるためにギア７８またはギア７９と噛合し爪取付台５６に連結される爪取付台ギア６０とからなるものとして形成してある。ここで、２つの脱毛ヘッド２ａ、２ｂは本体ブロック１の上部の前後に回転軸５６ｊが平行となるように配置されるものであるが、一方の脱毛ヘッド２ａには軸方向の一方の片側に爪取付台ギア６０が設けられ、他方の脱毛ヘッド２ｂには軸方向の他方の片側に爪取付台ギア６０が設けられるものである。
【００１６】
脱毛ヘッド２ａ、２ｂの駆動は以下のようにして行われる。すなわち、モータ１１の回転に伴い軸７６ｂに取り付けられたフェイスギア７６が回転すると、それに伴い軸７７ｂに取り付けられている中間ギア７７がギア７６ａによって回転伝達されて、更に軸７８ｂに取り付けられているギア７８、軸７９ｂに取り付けられているギア７９を介して一方の脱毛ヘッド２ａの爪取付台５６に連結された爪取付台ギア６０を回転させて一方の脱毛ヘッド２ａを回転させる。他方の脱毛ヘッド２ｂは、爪取付台ギア６０が一方の脱毛ヘッド２ａとは反対側に設けられていて、中間ギア７７の回転駆動を軸８０ｂに取り付けられているギア８０、軸８１ｂに取り付けてあるギア８１、軸８２ｂに取り付けてあるギア８２を介して他方の脱毛ブロック２の爪取付台ギア７６を回転させて他方の脱毛ヘッド２ｂを回転させる。そして、一方の脱毛ヘッド２ａを回転させる方のギア段数を偶数数段（ギア７８、７９）、他方の脱毛ヘッド２ｂを回転させるギア段数を奇数段（ギア８０、８１、８２）にすることで、２つの脱毛ブロック２を互いに異なる方向に回転することができ、腋などの毛の生え方向の異なる部位をそれぞれの適した脱毛ブロック２で抜くことができるものである。つまり、２つの脱毛ヘッド２ａ、２ｂが共に駆動して脱毛を行っている場合には異なる方向の脱毛が行われ、生え方向の異なる部位における異方向の脱毛が効率よく行えることになる。
【００１７】
脱毛ヘッド２ａを構成する爪ブロック体６９は、図３に示すように固定爪３ａと爪支持部６５ｄとを設けた爪支持部材６５と、可動爪３ｂと、可動爪３ｂを爪ブロック体６９の回転軸方向に揺動させるための一対の開閉レバー６７、６８とで構成してある。ここで、固定爪３ａと可動爪３ｂとで、挟持要素が構成してある。
【００１８】
なお、図２は脱毛装置全体の分解斜視図であるが、この図２には２つの脱毛ヘッド２ａ、２ｂが記載してあり、この２つの脱毛ヘッド２ａ、２ｂのうち、一つの脱毛ヘッド２ａは分解斜視図として図示してあり、他の一つは脱毛ヘッド２ｂは組み立てた状態の斜視図として図示してある。図１５には、上記図２における一つの脱毛ヘッド２ａ部分のみをそのまま拡大し且つ脱毛ヘッド２ａを構成する各部材に符号を付した分解斜視図を示している。この図１５に示すように、脱毛ヘッド２ａは、１つの爪取付台５６と３つの爪ブロック体６９とを備えている。そして、図１５においては、３つの爪ブロック体６９を分解斜視図として記載しているが、そのうちの一つの爪ブロック体６９を符号Ｘを付した線で囲んだものとして図示している。
【００１９】
爪支持部材６５は図３に示すように、中央部が開口した長方形状をした枠体部６５ｂの開口部分に枠体部６５ｂの長手方向に一定間隔を隔てて固定爪３ａと爪支持部６５ｄとを交互に配設すると共に固定爪３ａと爪支持部６５ｄとの両端部をそれぞれ枠体部６５ｂに一体に形成してあり、また、枠体部６５ｂの長手方向の両端部の下面部にフック部６５ａが形成してある。ここで、固定爪３ａは枠体部６５ｂの両側枠部６５ｃよりも上方に突出しており、更に、固定爪３ａ及び爪支持部６５ｄの両端部は枠体部６５ｂの両側枠部６５ｃよりも内側に引き込んで位置している。
【００２０】
開閉レバー６７には（図１５において符号Ｘを付した線で囲んだ部分の開閉レバー６７の前面（紙面の手前側）には）一定間隔でスリット溝６７ａが形成してあり、また、開閉レバー６７の一端部の一側面側からリブ６７ｂが設けてある（図１５において符号Ｘを付した線で囲んだ部分の開閉レバー６７の右側端部の側面側から下方に向けてリブ６７ｂが設けてある）。開閉レバー６８には（図１５において符号Ｘを付した線で囲んだ部分の開閉レバー６８の前面（紙面の手前側）には）一定間隔でスリット溝６８ａが形成してあり、また、開閉レバー６８の他端部の他側面側からリブ６８ｂが設けてある。（図１５において符号Ｘを付した線で囲んだ部分の開閉レバー６７の左側端部の側面側から上方に向けてリブ６７ｂが設けてある）。
【００２１】
以下、一つの爪ブロック体６９を組み立て構成する例を、上記図１５において符号Ｘを付した線で囲んだ部分における各部材を組み合わせて図３に示すような一つの爪ブロック体６９を構成する例で説明する。
【００２２】
図１５において、符号Ｘを付した線で囲んだ部分には一対の開閉レバー６７、６８が示してあるが、この一対の開閉レバー６７、６８を並べた状態で、リブ６７ｂが開閉レバー６８の他端部（リブ６８ｂを設けていない方の端部）と対向し、リブ６８ｂが開閉レバー６７の他端部（リブ６７ｂを設けていない方の端部）と対向し、リブ６７ｂと開閉レバー６８の他端部との間乃至リブ６８ｂと開閉レバー６７の他端部との間に図１５において符号Ｘを付した線で囲んだ部分に示すコイルスプリングのようなばね材６６を介在させ（なお、図１５においてはリブ６７ｂと開閉レバー６８の他端部との間に介在するばね材６６の図示は省略している）、この状態で、一対の開閉レバー６７、６８のリブ６７ｂ、６８ｂをそれぞれ爪支持部材６５のフック部６５ａにスライド自在に嵌め込むことで、一対の開閉レバー６７を爪支持部材６５に組み込むものである。その後、可動爪３ｂの突部３２ａが前後で反対になるように、開閉レバー６７、６８のスリット溝６７ａ、６８ｂに嵌め込む。この時、嵌め込んだ状態で開閉レバー６７、６８はばね材６６の付勢により互いに反対側に押されるが、可動爪３ｂの先端部の毛の挟持部が図３に示すように、固定爪３ａより離れるように爪支持部材６５に組み込まれるものである。ここで、可動爪３ｂは、固定爪３ａと爪支持部６５ｄに設けられた支点部を支点として揺動するものである。このように開閉手段と毛の把持部材が図３に示すような一つのブロック体（爪ブロック体６９）として構成してある。図１５における符号Ｘを付した線で囲んだ部分以外の他の２つの爪ブロック体６９も上記と同様にして構成する。
【００２３】
図２、図１５に示すように、爪取付台５６には回転軸５６ｊと平行に且つ円周に所定間隔で複数の溝５６ａが設けてあり、この溝５６ａは回転軸５６ｊと平行な方向の両端部のうちの一方と、爪取付台５６の外面とに開口しており、また爪取付台５６の半径方向において溝５６ａの外面側の開口縁部に支持部５６ｂが設けてある。溝５６ａには前述のようにしてブロック化した図３に示すような爪ブロック体６９が軸方向の一端部の開口からスライドして嵌め込むことで組み込まれるものであり、この場合、溝５６ａ内の幅広となった部分に枠体部６５ｂの側枠部６５ｃが嵌め込まれて支持部５６ｂが図３に示す側枠部６５ｃの外面側に当たって爪ブロック体６９が爪取付台５６の半径方向に支持され、回転軸５６ｊと直交する方向への抜け止めがなされることになる。また、爪ブロック体６９における毛の把持部材を構成する固定爪３ａと可動爪３ｂとの先端部が溝５６ａの爪取付台５６の外面側の開口から外方に突出している（図４、図５参照）。
【００２４】
また、爪ブロック体６９の長手方向（回転軸５６ｊと平行な方向）の抜け止めは、一方は爪ブロック体６９の端部の固定爪３ａの側面が爪取付台５６の一方の端部に設けた当たり部５６ｃ（図２、図１５に示す）に当ることによってなされ、また、他端部は爪取付台５６の側面に設けられた孔（図２、図１５に示す）に爪取付台ギア６０に設けられたリブ（図２、図１５においてリブは爪取付台ギア６０の背面側にあるのでリブは図示してない）が圧入固定され、これにより爪ブロック体６９の長手方向（回転軸５６ｊと平行な方向）の抜け止めがなされる。このように両端部で爪ブロック体６９の抜け止めをさせることで取り付け強度を向上させている。
【００２５】
２つの脱毛ヘッド２ａ、２ｂ間には剛体の突起の肌押さえ部材７０が設けてある。肌押さえ部材７０は長手方向の両端部にリブ７０ａが突設してあり、サブハウジング５５に設けた角孔５５ａに嵌め込まれて固定してある。この肌押さえ部材７０は、その前後に位置する２つの脱毛ヘッド２ａ、２ｂの上面よりも若干突出させてある。これは２つの脱毛ヘッド２ａ、２ｂの上面よりも肌押さえ部材７０を若干突出させて肌に押さえつけることによって、脱毛ヘッド２ａ、２ｂが互いに逆方向に回転していることにより、肌が互いに逆方向に引っ張られるときの刺激を防止しており、また、毛が同時に逆方向に脱毛されたり、また、どちらか一方の脱毛ヘッドによって脱毛されたときに毛と同時に肌が引っ張られるのを防止している。
【００２６】
脱毛ヘッド２ａ、２ｂの回転における可動爪３ｂの揺動は、開閉レバー６７、６８の両端部に配置されるカム手段により行われる。カム手段は軸７１ａに対して回転自在にローラ７１を取り付けて構成してあり、爪取付台５６の回転軸５６ｊがサブハウジング５５に取り付けられる孔５５ｂの上方に設けた孔５５ｃに軸７１ａを固定し、ローラ７１を回転自在とするものである。そして、脱毛ブロック２が爪取付台ギア６０によって回転し、爪ブロック体６９の一つが上方に回転してくると、当該開閉レバー６７、６８の端部がローラ７１によって押されて開閉レバー６７、６８が互いに内側に変位され、可動爪３ｂが爪支持部材６５に設けられた固定爪３ａと爪支持部６５ｄの支点部を支点として固定爪３ａを挟むようにして揺動され、これにより、固定爪３ａと可動爪３ｂとで毛を挟持し、脱毛ヘッド２ａ、２ｂが回転することで脱毛し、更に、脱毛ヘッド２ａ、２ｂが回転することで、脱毛ヘッド２ａ、２ｂの開閉レバー６７、６８がローラ７１から離れ、ばね材６６の弾性力により開閉レバー６７、６８が互いに離れる方向に移動し、これにより脱毛した毛を離すものである。また、２つの脱毛ヘッド２ａ、２ｂには爪ブロック体６９はそれぞれ上方に回転してくるタイミングがずらされており、一方が脱毛しているときは他方は肌を伸ばすようになっており、脱毛による痛みを低減し、また同時に多くの毛を引き抜かないので、負荷を低減できるようになっている。
【００２７】
上記のようにして脱毛をするのであるが、本実施形態においては、脱毛ヘッド２ａ、２ｂを駆動するためのギア列のうちギア８０の軸８０ｂが上下移動自在になっていて、軸８０ｂを上下移動することで、ギア８０が中間ギア７７と噛み合ったり、あるいは噛み合いが解除されたりするようになっている。すなわち、ハウジング１０に設けられた長孔８４に釦８５が上下方向にスライド自在に嵌め込んであり、釦８５はフック８５ａが長孔８４の縁部に上下にスライド自在に係止してあることで、釦８５がハウジング１０から抜けないようになっている。釦８５には穴８５ｂが設けてあり、この穴８５に上記ギア８０の軸８０ｂが嵌め込んで固定してある。また、釦８５には弾性を有するクリック突部８５ｃが設けてあり、釦８５を上下方向にスライドすることでクリック突部８５ｃがハウジング１０に設けた突部１０ｃに弾性的に係止自在となっている。つまり、釦８５を下方にスライドさせるとクリック突部８５ｃが突部１０ｃに弾性的に係止すると共にこの状態ではギア８０が中間ギア７７に噛み合い、他方の脱毛ヘッド２ｂ側に動力が伝達されて他方の脱毛ヘッド２ｂが回転し、これにより、一方の脱毛ヘッド２ａ、他方の脱毛ヘッド２ａの両脱毛ヘッド２ａ、２ｂが互いに逆方向に回転し、異なる方向の脱毛を行うものである（図６、図７、図８参照）。
【００２８】
一方、図９のように釦８５を上方にスライドさせると、クリック突部８５ｃが突部１０ｃから離れて係止が解除されると共にこの状態では図１０に示すようにギア８０と中間ギア７７との噛み合いが解除され、他方の脱毛ヘッド２ｂ側への動力の伝達が行われなくなり、これにより他方の脱毛ヘッド２ｂは回転せず、一方の脱毛ヘッド２ａのみが回転する。つまり、一方の脱毛ヘッド２ａのみが同一方向に回転して同一方向の脱毛を行うのである。また、この場合には一方の脱毛ヘッド２ａのみが回転するので、負荷を低減することができる。
【００２９】
このように、上記釦８５が脱毛ヘッドの駆動伝達切り替え手段を構成しているものである。
【００３０】
そして、脱毛ヘッドの駆動伝達切り替え手段により、動力の伝達のための駆動切換えによって他方の脱毛ヘッド２ｂを停止させてこの停止した方の脱毛ヘッドを肌伸ばしとしたり、あるいは動力の伝達のための駆動切換えによって他方の脱毛ヘッド２ｂを停止させることが選択できる。このようにして、図６乃至図１０に示すように駆動伝達を切換えることで、腕、足等のように同一方向に毛が生えているところの脱毛をする同一方向の脱毛器具として使用したり、あるいは腋等の異なる方向に毛が生えているところの脱毛をする異方向の脱毛器具として使用したりするのが容易に選択できる脱毛器具を実現することができるものである。
【００３１】
次に、図１１乃至図１４に基づいて本発明の更に他の実施形態を説明する。本実施形態においては、脱毛装置の器具本体Ａは本体ブロック１に２つの脱毛ヘッド２ａで構成された脱毛ブロック２を設けて構成してある。本体ブロック１は、二つ割りのハウジング１０内にモータ１１、モータ１１の出力軸に取り付けたピニオン７５と噛合するフェイスギア７６、フェイスギア７６に一体に設けられるギア７６ａと噛合する中間ギア７７、この中間ギア７７と一方の脱毛ヘッド２ａの爪取付台ギア６０との間に介在されるギア７８、７９と、中間ギア７７と他方の脱毛ヘッド２ｂの爪取付台ギア６０との間に介在されるギア８０、８１、８２とを内装し、また、ハウジング１０の下部に電源ジャック１４を固定した下カバー８３を取り付け、更に、ハウジング１０にモータ１１をオン、オフするためのスイッチ１５を設けて構成してある。
【００３２】
脱毛ヘッド２ａ、２ｂは前述の実施形態と同様の構成（すなわち図３乃至図５に示す）となっており、基台となる爪取付台５６に脱毛ヘッド２ａの回転軸５６ｊに平行に且つ円周に所定間隔で配置された３つの爪ブロック体６９と、脱毛ブロック２を回転させるためにギア７８またはギア７９と噛合し爪取付台５６に連結される爪取付台ギア６０とからなるものとして形成してある。ここで、２つの脱毛ヘッド２ａ、２ｂは本体ブロック１の上部の前後に回転軸５６ｊが平行となるように配置されるものであるが、一方の脱毛ヘッド２ａには軸方向の一方の片側に爪取付台ギア６０が設けられ、他方の脱毛ヘッド２ｂには軸方向の他方の片側に爪取付台ギア６０が設けられるものである。
【００３３】
脱毛ヘッド２ａ、２ｂの駆動は以下のようにして行われる。すなわち、モータ１１の回転に伴い軸７６ｂに取り付けられたフェイスギア７６が回転すると、それに伴い軸７７ｂに取り付けられている中間ギア７７がギア７６ａによって回転伝達されて、更に軸７８ｂに取り付けられているギア７８、軸７９ｂに取り付けられているギア７９を介して一方の脱毛ヘッド２ａの爪取付台５６に連結された爪取付台ギア６０を回転させて一方の脱毛ヘッド２ａを回転させる。他方の脱毛ヘッド２ｂは、爪取付台ギア６０が一方の脱毛ヘッド２ａとは反対側に設けられていて、中間ギア７７の回転駆動を軸８０ｂに取り付けられているギア８０、軸８１ｂに取り付けてあるギア８１、軸８２ｂに取り付けてあるギア８２を介して他方の脱毛ブロック２の爪取付台ギア７６を回転させて他方の脱毛ヘッド２ｂを回転させる。そして、一方のヘッド２ａを回転させる方のギア段数を偶数数段（ギア７８、７９）、他方の脱毛ヘッド２ｂを回転させるギア段数を奇数段（ギア８０、８１、８２）にすることで、２つの脱毛ヘッドを互いに異なる方向に回転することができ、腋などの毛の生え方向の異なる部位をそれぞれの適した脱毛ブロック２で抜くことができるものである。つまり、２つの脱毛ヘッド２ａ、２ｂが共に駆動して脱毛を行っている場合には異なる方向の脱毛が行われ、生え方向の異なる部位における異方向の脱毛が効率よく行えることになる。
【００３４】
脱毛ヘッド２ａを構成する爪ブロック体６９は、前述の実施形態と同様に図３に示すように固定爪３ａと爪支持部６５ｄとを設けた爪支持部材６５と、可動爪３ｂと、可動爪３ｂを爪ブロック体６９の回転軸方向に揺動させるための一対の開閉レバー６７、６８とで構成してある。
【００３５】
爪支持部材６５は前述の実施形態と同様に図３乃至図５に示すように、中央部が開口した長方形状をした枠体部６５ｂの開口部分に枠体部６５ｂの長手方向に一定間隔を隔てて固定爪３ａと爪支持部６５ｄとを交互に配設すると共に固定爪３ａと爪支持部６５ｄとの両端部をそれぞれ枠体部６５ｂに一体に形成してあり、また、枠体部６５ｂの長手方向の両端部の下面部にフック部６５ａが形成してある。ここで、固定爪３ａは枠体部６５ｂの両側枠部６５ｃよりも上方に突出しており、更に、固定爪３ａ及び爪支持部６５ｄの両端部は枠体部６５ｂの両側枠部６５ｃよりも内側に引き込んで位置している。
【００３６】
開閉レバー６７の前面には一定間隔でスリット溝６７ａが形成してあり、また、開閉レバー６７の一端部の一側面側からリブ６７ｂが設けてある。開閉レバー６８の前面には一定間隔でスリット溝６８ａが形成してあり、また、開閉レバー６８の他端部の他側面側からリブ６８ｂが設けてあり、一対の開閉レバー６７、６８を並べた状態で、リブ６７ｂが開閉レバー６８の他端部（リブ６８ｂを設けていない方の端部）と対向し、リブ６８ｂが開閉レバー６７の他端部（リブ６７ｂを設けていない方の端部）と対向させ、リブ６７ｂと開閉レバー６８の他端部との間乃至リブ６８ｂと開閉レバー６７の他端部との間にコイルスプリングのようなばね材６６を介在させ、この状態で、一対の開閉レバー６７、６８のリブ６７ｂ、６８ｂをそれぞれ爪支持部材６５のフック部６５ａにスライド自在に嵌め込むことで、一対の開閉レバー６７を爪支持部材６５に組み込むものである。その後、可動爪３ｂの突部３２ａが前後で反対になるように、開閉レバー６７、６８のスリット溝６７ａ、６８ｂに嵌め込む。この時、嵌め込んだ状態で開閉レバー６７、６８はばね材６６の付勢により互いに反対側に押されるが、可動爪３ｂの先端部の毛の挟持部が前述の実施形態と同様に図３に示すように、固定爪３ａより離れるように爪支持部材６５に組み込まれるものである。ここで、可動爪３ｂは、固定爪３ａと爪支持部６５ｄに設けられた支点部を支点として揺動するものである。このように開閉手段と毛の把持部材が一つのブロック体（爪ブロック体６９）として構成してある。
【００３７】
爪取付台５６には回転軸５６ｊと平行に且つ円周に所定間隔で複数の溝５６ａが設けてあり、この溝５６ａは回転軸５６ｊと平行な方向の両端部のうちの一方と、爪取付台５６の外面とに開口しており、また爪取付台５６の半径方向において溝５６ａの外面側の開口縁部に支持部５６ｂが設けてある。溝５６ａには前述のようにしてブロック化した爪ブロック体６９が軸方向の一端部の開口からスライドして嵌め込むことで組み込まれるものであり、この場合、溝５６ａ内の幅広となった部分に枠体部６５ｂの側枠部６５ｃが嵌め込まれて支持部５６ｂが側枠部６５ｃの外面側に当たって爪ブロック体６９が爪取付台５６の半径方向に支持され、回転軸５６ｊと直交する方向への抜け止めがなされることになる。また、爪ブロック体６９における毛の把持部材を構成する固定爪３ａと可動爪３ｂとの先端部が溝５６ａの爪取付台５６の外面側の開口から外方に突出している。
【００３８】
また、爪ブロック体６９の長手方向（回転軸５６ｊと平行な方向）の抜け止めは、一方は爪ブロック体６９の端部の固定爪３ａの側面が爪取付台５６の一方の端部に設けた当たり部５６ｃに当ることによってなされ、また、他端部は爪取付台５６の側面に設けられた孔に爪取付台ギア６０に設けられたリブが圧入固定され、これにより爪ブロック体６９の長手方向（回転軸５６ｊと平行な方向）の抜け止めがなされる。このように両端部で爪ブロック体６９の抜け止めをさせることで取り付け強度を向上させている。
【００３９】
２つの脱毛ヘッド２ａ、２ｂ間には剛体の突起の肌押さえ部材７０が設けてある。肌押さえ部材７０は長手方向の両端部にリブ７０ａが突設してあり、サブハウジング５５に設けた角孔５５ａに嵌め込まれて固定してある。この肌押さえ部材７０は、その前後に位置する２つの脱毛ヘッド２ａ、２ｂの上面よりも若干突出させてある。これは２つの脱毛ヘッド２ａ、２ｂの上面よりも肌押さえ部材７０を若干突出させて肌に押さえつけることによって、脱毛ヘッド２ａ、２ｂが互いに逆方向に回転していることにより、肌が互いに逆方向に引っ張られるときの刺激を防止しており、また、毛が同時に逆方向に脱毛されたり、また、どちらか一方の脱毛ヘッドによって脱毛されたときに毛と同時に肌が引っ張られるのを防止している。
【００４０】
脱毛ヘッド２ａ、２ｂの回転における可動爪３ｂの揺動は、開閉レバー６７、６８の両端部に配置されるカム手段により行われる。カム手段は軸７１ａに対して回転自在にローラ７１を取り付けて構成してあり、爪取付台５６の回転軸５６ｊがサブハウジング５５に取り付けられる孔５５ｂの上方に設けた孔５５ｃに軸７１ａを固定し、ローラ７１を回転自在とするものである。そして、脱毛ブロック２が爪取付台ギア６０によって回転し、爪ブロック体６９の一つが上方に回転してくると、当該開閉レバー６７、６８の端部がローラ７１によって押されて開閉レバー６７、６８が互いに内側に変位され、可動爪３ｂが爪支持部材６５に設けられた固定爪３ａと爪支持部６５ｄの支点部を支点として固定爪３ａを挟むようにして揺動され、これにより、固定爪３ａと可動爪３ｂとで毛を挟持し、脱毛ヘッド２ａ、２ｂが回転することで脱毛し、更に、脱毛ヘッド２ａ、２ｂが回転することで、脱毛ヘッド２ａ、２ｂの開閉レバー６７、６８からローラ７１から離れ、ばね材６６の弾性力により開閉レバー６７、６８が互いに離れる方向に移動し、これにより脱毛した毛を離すものである。また、２つの脱毛ヘッド２ａ、２ｂには爪ブロック体６９はそれぞれ上方に回転してくるタイミングがずらされており、一方が脱毛しているときは他方は肌を伸ばすようになっており、脱毛による痛みを低減し、また同時に多くの毛を引き抜かないので、負荷を低減できるようになっている。
【００４１】
上記のようにして脱毛をするのであるが、本実施形態においては、ハウジング１０の上端部の略中央である脱毛ヘッド２ａを回転自在に支持する部分と別の脱毛ブロック２を回転自在に支持する部分との間に長溝１０ａが設けてあり、また、ハウジング１０の上端部の他方の脱毛ヘッド２ｂを支持する部分の下部が外側を凹設して薄肉部１０ｂとしてある。このように薄肉部１０ｂを形成することで合成樹脂製のハウジング１０の上端部において薄肉部１０ｂ部分が弾性変形しやすくなっている。一対のハウジング１０を組み合わせた状態で、一対のハウジング１０の上端部には環状をした移動枠により構成した環状の釦１００が上下移動自在に被嵌してある。更に、一対のハウジング１０上端部間には圧縮ばねのようなばね材１０１が配設してあって、一対のハウジング１０の上端部間が離れる方向のばね力を付勢してある。ここで、図１１乃至図１４に示す実施形態においては一対のハウジング１０の上端部の脱毛ヘッド２ｂを支持する部分の間にばね材１０１を介在して一対のハウジング１０の上端部の脱毛ヘッド２ｂを支持する部分同士が互いに離れる方向のばね力を付与してある。
【００４２】
そして、環状の釦１００が図１３に示すように、外側が凹んだ薄肉部１０ｂよりも上方に被嵌されてばね材１０１による一対のハウジング１０間が広がるのを防止している状態では、脱毛ヘッド２ｂが回転してくるとカム手段を構成する部材であるローラ７１により開閉レバー６７、６８の端部が押されて前述のように脱毛するようになっているが、環状の釦１００を下方に移動させて図１４に示すように、外側が凹んだ薄肉部１０ｂに位置させると、ばね材１０１によるばね力と薄肉部１０ｂによる弾性変形性により一対のハウジング１０の上端部の脱毛ヘッド２ｂを支持する部分の間が互いに離れるように外側に広げられ、これによりローラ７１が外側に移動し、脱毛ヘッド２ｂが回転してきても開閉レバーを押さず、他方の脱毛ヘッド２ｂに備えた毛の挟持手段である固定爪３ａと可動爪３ｂとによる毛の挟持力が停止状態となる。この間、ハウジング１０の上端部の一方の脱毛ヘッド２ａを回転自在に支持する部分は環状の釦１００が外側が凹んだ薄肉部１０ｂよりも上に位置する場合はもちろん、外側が凹んだ薄肉部１０ｂ部分に位置する場合も、環状の釦１００により外周を規制されているので、外側に広がるように変形せず、したがって、いずれの場合にも脱毛ヘッド２ａが回転してくるとカム手段を構成する部材であるローラ７１により開閉レバー６７、６８の端部が押されて前述のように脱毛するようになっているものである。この結果、腕、足等の反対側の脱毛が不要の時には図１４のように環状の釦１００を操作して外側が凹んだ薄肉部１０ｂ部分に位置させることで、他方の脱毛ヘッド２ｂは毛の挟持力が停止状態のまま空回りをして肌を伸ばすため、一方の脱毛ヘッド２ａにより毛の根元から挟持（把持）できて、毛切れや抜き残しを少なくでき、また、刺激も小さくでき、更に、負荷を低減できるものである。
【００４３】
【発明の効果】
本発明の請求項１記載の発明にあっては、上記のように、手で把持できる器具本体に開閉駆動されて毛を挟持する挟持要素を備えた毛を引き抜くための脱毛ヘッドを複数有するものにおいて、脱毛ヘッドの駆動伝達切り替え手段を設け、該脱毛ヘッドの駆動伝達切り替え手段が、複数の脱毛ヘッドを回転させて脱毛を行う形態と、一方の脱毛ヘッドを回転させて脱毛を行うと共に他方の脱毛ヘッドの回転を停止させる形態とを切り替えるものであるので、駆動伝達切り替え手段を切り換えるだけで、複数の脱毛ヘッドを回転して脱毛を行う形態と、一方の脱毛ヘッドを回転させて脱毛を行うと共に他方の脱毛ヘッドの回転を停止させる形態が選択でき、また、一方の脱毛ヘッドを回転させて脱毛を行うと共に他方の脱毛ヘッドの回転を停止させる形態においては、停止した方の脱毛ヘッドを肌伸ばしとすることができ、更に、この場合、一方の脱毛ヘッドのみが回転するので、負荷を低下できる。このようにして、効率的に毛の導入をして脱毛できると共に毛切れや抜き残しが少なくスピーディに脱毛することができるものである。
【００４４】
また、請求項２記載の発明にあっては、手で把持できる器具本体に開閉駆動されて毛を挟持する挟持要素を備えた毛を引き抜くための脱毛ヘッドを複数有するものにおいて、脱毛ヘッドの駆動伝達切り替え手段を設け、該脱毛ヘッドの駆動伝達切り替え手段が、複数の脱毛ヘッドに備えた挟持要素による脱毛を行う形態と、一方の脱毛ヘッドに備えた挟持要素によって脱毛を行うと共に他方の脱毛ヘッドに備えた挟持要素による挟持を停止可能とする形態とを切り替えるものであるので、脱毛ヘッドの駆動伝達切り替え手段の切り替えにより、複数の脱毛ヘッドに備えた挟持要素による脱毛を行う形態と、一方の脱毛ヘッドに備えた挟持要素によって脱毛を行うと共に他方の脱毛ヘッドに備えた挟持要素による挟持を停止可能とする形態とを選択でき、また、一方の脱毛ヘッドに備えた挟持要素によって脱毛を行うと共に他方の脱毛ヘッドに備えた挟持要素による挟持を停止可能とする形態を選択した場合、挟持要素による挟持を停止した方の脱毛ヘッドは空回りをして肌を伸ばすことができ、このように一方の脱毛ヘッドで肌を伸ばしながら、他方の脱毛ヘッドで毛の根元を挟持して脱毛することができる。このようにして、効率的に毛の導入をして脱毛できると共に毛切れや抜き残しが少なくスピーディに脱毛することができるものである。
【００４５】
また、請求項３記載の発明にあっては、上記請求項２記載の発明の効果に加えて、脱毛ヘッドを支持しているハウジングの弾性変形により脱毛ヘッドに挟持要素による挟持を停止可能としてあるので、ハウジングを弾性変形させるという簡単な構成で脱毛ヘッドに挟持要素による挟持を停止可能とすることができるものである。
【図面の簡単な説明】
【図１】  本発明の一実施形態の斜視図である。
【図２】  同上の分解斜視図である。
【図３】  同上の爪ブロック体の斜視図である。
【図４】  同上の一方の脱毛ヘッドの斜視図である。
【図５】  同上の他方の脱毛ヘッドの斜視図である。
【図６】  同上の中央の釦部分における正面断面図である。
【図７】  同上の一方の脱毛ヘッドへの駆動伝達のギアを示す部分の側面断面図である。
【図８】  同上の他方の脱毛ヘッドへの駆動伝達のギアを示す部分の側面断面図である。
【図９】  同上の釦を上に上げた状態の中央部分の側面断面図である。
【図１０】  同上の釦を上に上げた場合における一方の脱毛ヘッドへの駆動伝達のギアを示す部分の側面断面図である。
【図１１】  本発明の他の実施形態の斜視図である。
【図１２】  同上の分解斜視図である。
【図１３】  同上の正面断面図である。
【図１４】  同上の脱毛ヘッドの挟持要素による挟持を停止した状態を示す正面断面図である。
【図１５】  同上の図２の符号２ａで示す脱毛ヘッド部分のみを拡大した分解斜視図である。
【符号の説明】
Ａ  器具本体
１  本体ブロック
２  脱毛ブロック
２ａ  脱毛ヘッド
２ｂ  脱毛ヘッド
３ａ  固定爪
３ｂ  可動爪
８０  ギア
８１  ギア
８２  ギア
【図１】
0003899695.tif 000002
【図２】
0003899695.tif 000003
【図３】
0003899695.tif 000004
【図４】
0003899695.tif 000005
【図５】
0003899695.tif 000006
【図６】
0003899695.tif 000007
【図７】
0003899695.tif 000008
【図８】
0003899695.tif 000009
【図９】
0003899695.tif 000010
【図１０】
0003899695.tif 000011
【図１１】
0003899695.tif 000012
【図１２】
0003899695.tif 000013
【図１３】
0003899695.tif 000014
【図１４】
0003899695.tif 000015
【図１５】
0003899695.tif 000016